(57)【要約】【課題】運用効率を向上する。【解決手段】現金自動預払機１は、使用者の操作を受け付ける応対部３と、硬貨を重ねて集積可能な筒状の硬貨集積空間ＳＰＣを複数有する筒収納部５６と、硬貨集積空間ＳＰＣ内を移動可能であり硬貨が集積される硬貨集積面６７ｐＳが形成されたステージ６７と、硬貨集積空間ＳＰＣにおける異常を検知する異常検知センサ９０と、異常検知センサ９０の検知結果に基づいて硬貨集積空間ＳＰＣにおいて異常が発生しているか否かを判断する硬貨制御部１２とを設け、硬貨制御部１２は、異常検知センサ９０の検知結果に基づいて、複数の硬貨集積空間ＳＰＣのうち一部の硬貨集積空間ＳＰＣで異常が発生していると判断すると、一部の硬貨集積空間ＳＰＣとは異なる他の硬貨集積空間ＳＰＣのみを用いて硬貨を集積又は繰り出すよう制御する。【選択図】図１０
2020170305.tif 000002
【特許請求の範囲】
【請求項１】
硬貨を重ねて集積可能な筒状の収納空間を複数有する筒収納部と、
前記収納空間内を移動可能であり前記硬貨が集積される載置面が形成されたステージと、
前記収納空間における異常を検知する異常検知センサと、
前記異常検知センサの検知結果に基づいて前記収納空間において異常が発生しているか否かを判断する制御部とを備え、
前記制御部は、
前記異常検知センサの検知結果に基づいて、複数の前記収納空間のうち一部の収納空間で異常が発生していると判断すると、前記一部の収納空間とは異なる他の収納空間のみを用いて前記硬貨を集積又は繰り出すよう制御する
ことを特徴とする硬貨処理装置。
【請求項２】
前記制御部は、
複数の前記収納空間のうち前記一部の収納空間で異常が発生していると判断すると、前記硬貨処理装置を休止させずに、前記他の収納空間のみを用いて前記硬貨を集積又は繰り出すよう制御する
請求項１に記載の硬貨処理装置。
【請求項３】
前記制御部は、
複数の前記収納空間のうち前記一部の収納空間で異常が発生していると判断すると、前記筒収納部を回転させることにより、前記他の収納空間のみを用いて前記硬貨を集積又は繰り出すよう制御する
請求項１又は請求項２に記載の硬貨処理装置。
【請求項４】
前記制御部は、
複数の前記収納空間のうち前記一部の収納空間で異常が発生していると判断すると、前記筒収納部を回転させることができる場合、前記硬貨処理装置を休止させずに、前記他の収納空間のみを用いて前記硬貨を集積又は繰り出すよう制御する一方、前記筒収納部を回転させることができない場合、前記硬貨処理装置を休止させる
請求項３に記載の硬貨処理装置。
【請求項５】
前記筒収納部が複数形成され回転する筒収納部回転体と、
前記ステージが前記筒収納部回転体の回転軌跡から退避したことを検知するステージボトムポジションセンサと
をさらに備え、
前記制御部は、
前記ステージボトムポジションセンサにより前記ステージを検知できたときは前記筒収納部を回転させることができると判定する一方、前記ステージボトムポジションセンサにより前記ステージを検知できなかったときは前記筒収納部を回転させることができないと判定する
請求項４に記載の硬貨処理装置。
【請求項６】
前記制御部は、
複数の前記収納空間のうち前記一部の収納空間で異常が発生していると判断すると、複数の前記収納空間のうち異常が発生していない前記収納空間を、外部から前記硬貨を集積可能な位置へ移動させる
請求項１乃至請求項５の何れかに記載の硬貨処理装置。
【請求項７】
前記制御部は、
複数の前記収納空間のうち前記一部の収納空間で異常が発生していると判断すると、複数の前記収納空間のうち異常が発生していない前記収納空間を、外部へ前記硬貨を繰り出し可能な位置へ移動させる
請求項１乃至請求項５の何れかに記載の硬貨処理装置。
【請求項８】
前記異常検知センサは、前記収納空間内の前記硬貨の集積状態を検知するセンサであって、
前記制御部は、複数の前記収納空間のうち前記一部の収納空間で前記硬貨の集積不良が発生していると判断すると、前記他の収納空間のみを用いて前記硬貨を集積するよう制御する
請求項１乃至請求項６の何れかに記載の硬貨処理装置。
【請求項９】
前記異常検知センサは、前記収納空間からの前記硬貨の繰出状態を検知するセンサであって、
前記制御部は、複数の前記収納空間のうち前記一部の収納空間で前記硬貨の繰出不良が発生していると判断すると、前記他の収納空間のみを用いて前記硬貨を繰り出すよう制御する
請求項１乃至請求項５又は請求項７の何れかに記載の硬貨処理装置。
【請求項１０】
使用者の操作を受け付ける操作部と、
請求項１乃至請求項９の何れかに記載の硬貨処理装置と
を有する自動取引装置。
【請求項１１】
硬貨を重ねて集積可能な筒状の収納空間を複数有する筒収納部と、
前記収納空間内を移動可能であり前記硬貨が集積される載置面が形成されたステージと、
前記収納空間における異常を検知する異常検知センサと
を有する硬貨処理装置における硬貨処理方法において、
前記異常検知センサの検知結果に基づいて、複数の前記収納空間のうち一部の収納空間で異常が発生していると判断すると、前記一部の収納空間とは異なる他の収納空間のみを用いて前記硬貨を集積又は繰り出すよう制御する制御ステップ
を有することを特徴とする硬貨処理方法。
【発明の詳細な説明】
【技術分野】
【０００１】
本発明は硬貨処理装置、自動取引装置及び硬貨処理方法に関し、例えば顧客に紙幣や硬貨を投入させて所望の取引を行う現金自動預払機（ＡＴＭ：Automatic Teller Machine）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するものが広く普及している。
【０００３】
この現金自動預払機としては、例えば硬貨に関する処理を行う硬貨処理装置を内部に有するものがある。硬貨処理装置は、例えば顧客との間で硬貨の授受を行う入出金部と、硬貨を搬送する搬送部と、投入された硬貨の金種や真偽等を識別する識別部（認識部とも呼ぶ）と、金種毎に硬貨を収納する収納部（スタッカ部とも呼ぶ）等を有するものが提案されている。
【０００４】
そのような硬貨処理装置においては、筒状のスタッカ部に上方から硬貨を収納するものが提案されている。（例えば、特許文献１参照）。
【先行技術文献】
【特許文献】
【０００５】
【特許文献１】特開２０１５−１４１５８７号公報
【発明の概要】
【発明が解決しようとする課題】
【０００６】
このような硬貨処理装置においては、スタッカ部において硬貨の集積不良や繰出不良等の異常が発生してしまうと、復旧作業が行われるまで硬貨処理装置の運用を止めて休止する必要があったため、運用効率が低下してしまっていた。
【０００７】
本発明は以上の点を考慮してなされたもので、運用効率を向上し得る硬貨処理装置、自動取引装置及び硬貨処理方法を提案しようとするものである。
【課題を解決するための手段】
【０００８】
かかる課題を解決するため本発明の硬貨収納装置においては、硬貨を重ねて集積可能な筒状の収納空間を複数有する筒収納部と、収納空間内を移動可能であり硬貨が集積される載置面が形成されたステージと、収納空間における異常を検知する異常検知センサと、異常検知センサの検知結果に基づいて収納空間において異常が発生しているか否かを判断する制御部とを設け、制御部は、異常検知センサの検知結果に基づいて、複数の収納空間のうち一部の収納空間で異常が発生していると判断すると、一部の収納空間とは異なる他の収納空間のみを用いて硬貨を集積又は繰り出すよう制御するようにした。
【０００９】
また本発明の自動取引装置においては、使用者の操作を受け付ける操作部と、上述した硬貨処理装置とを設けるようにした。
【００１０】
さらに本発明の硬貨処理方法においては、硬貨を重ねて集積可能な筒状の収納空間を複数有する筒収納部と、収納空間内を移動可能であり硬貨が集積される載置面が形成されたステージと、収納空間における異常を検知する異常検知センサとを有する硬貨処理装置における硬貨処理方法において、異常検知センサの検知結果に基づいて、複数の収納空間のうち一部の収納空間で異常が発生していると判断すると、一部の収納空間とは異なる他の収納空間のみを用いて硬貨を集積又は繰り出すよう制御する制御ステップを設けるようにした。
【００１１】
本発明は、複数の収納空間のうち一部の収納空間で異常が発生した場合に、硬貨処理装置の運用を止めることなく、異常が発生していない他の収納空間のみを用いて集積動作及び繰出動作を続行することができる。
【発明の効果】
【００１２】
本発明によれば、複数の収納空間のうち一部の収納空間で異常が発生した場合に、硬貨処理装置の運用を止めることなく、異常が発生していない他の収納空間のみを用いて集積動作及び繰出動作を続行することができる。かくして運用効率を向上し得る硬貨処理装置、自動取引装置及び硬貨処理方法を実現できる。
【図面の簡単な説明】
【００１３】
【図１】現金自動預払機の外観構成を示す斜視図である。
【図２】硬貨処理装置の構成を示す右側面図である。
【図３】スタッカユニットの構成を示す斜視図である。
【図４】筒収納部回転体の構成（１）を示す斜視図である。
【図５】筒収納部回転体の構成（２）を示す右側面図である。
【図６】筒収納部回転体の構成（３）を示し、図５におけるＡ−Ａ矢視断面図である。
【図７】筒収納部回転体の構成（４）を示し、図６におけるＡ−Ａ矢視断面図である。
【図８】集積機構の構成を示す斜視図である。
【図９】繰出機構の構成を示す斜視図である。
【図１０】異常検出時処理手順を示すフローチャートである。
【図１１】筒収納部回転体の構成（５）を示し、図６におけるＡ−Ａ矢視断面図である。
【発明を実施するための形態】
【００１４】
以下、発明を実施するための形態（以下実施の形態とする）について、図面を用いて説明する。
【００１５】
［１．現金自動預払機の全体構成］
図１に外観を示すように現金自動預払機１は、箱状の筐体２を中心に構成されており、例えば金融機関や各種商業施設等に設置され、使用者（すなわち金融機関や商業施設の顧客等）との間で、入金処理や出金処理等の現金に関する取引を行う。
【００１６】
筐体２は、その前側に使用者が対峙した状態で紙幣又は硬貨の投入やタッチパネルによる操作等をしやすい箇所に応対部３が設けられている。応対部３は、カード入出口４、硬貨入出金口５、操作表示部６、テンキー７及びレシート発行口８が設けられており、使用者との間で例えば現金やカード等を直接やり取りすると共に、取引に関する情報の通知や操作指示の受付を行う。
【００１７】
カード入出口４は、キャッシュカード等の各種カードが挿入又は排出される部分である。カード入出口４の奥側には、各種カードに磁気記録された口座番号等の読み取りを行うカード処理部（図示せず）が設けられている。硬貨入出金口５は、使用者によって入金される硬貨が投入されると共に、使用者へ出金する硬貨が排出される部分である。また硬貨入出金口５は、シャッタを駆動することにより開放又は閉塞する。因みに応対部３には、使用者により入金される紙幣が投入されると共に該使用者へ出金する紙幣が排出される紙幣入出金口（図示せず）等も設けられている。
【００１８】
操作表示部６は、取引に際して操作画面や取引内容等を表示する液晶表示パネルと、使用者の入力操作を検知するタッチセンサとが一体化されたタッチパネルである。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。
【００１９】
以下では、現金自動預払機１のうち使用者が対峙する側を前側とし、その反対を後側とし、該前側に対峙した使用者から見て左及び右をそれぞれ左側及び右側とし、さらに上側及び下側を定義して説明する。
【００２０】
筐体２の内部には、現金自動預払機１全体を統括制御する主制御部９や、取引対象である硬貨に関する種々の処理を行う硬貨処理装置１０や、紙幣に関する種々の処理を行う紙幣処理装置（図示せず）等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２１】
［２．硬貨処理装置の全体構成］
硬貨処理装置１０は、図２に模式的な右側面図を示すように、硬貨処理装置筐体１１の内部に、硬貨に関する種々の処理を行う複数の部分が組み込まれている。この硬貨は、例えば銅及びニッケルの合金やアルミニウム等、十分な強度を有する種々の材料でなり、薄い円板状に形成されている。
【００２２】
硬貨処理装置筐体１１の内部には、比較的上側ないし中央付近に、入出金部１３、シュート部１４、上分離部１５、認識搬送部１６、受渡部１７、ピンベルト搬送部１８、６個のスタッカ部２１、出金搬送部２２及び一時保留部２３が設けられている。また硬貨処理装置筐体１１の内部には、比較的下側に、硬貨制御部１２、補充回収庫２４、第１補充リジェクト庫２５、第２補充リジェクト庫２６、リジェクト庫２７、取忘取込庫２８及び下分離部２９が設けられている。
【００２３】
硬貨制御部１２は、主制御部９と同様、図示しないＣＰＵを中心に構成されており、図示しないＲＯＭやフラッシュメモリ等から所定のプログラムを読み出して実行することにより、入金取引や出金取引等に関する種々の処理を行い、硬貨処理装置１０を統括制御する。また硬貨制御部１２は、内部にＲＡＭ及びフラッシュメモリ等でなる記憶部を有しており、この記憶部に種々の情報を記憶させる。
【００２４】
［２−１．入出金部、シュート部及び上分離部の構成］
入出金部１３は、使用者との間で硬貨を受け渡すことにより、該使用者に硬貨を入金させ、又は該使用者に硬貨を出金する。また入出金部１３は、使用者により硬貨が投入されると、投入された硬貨をシュート部１４に引き渡して該シュート部１４内を下降させ、該シュート部１４の下側に設けられた上分離部１５内に到達させる。また入出金部１３は、ピンベルト搬送部１８から硬貨が搬送されてくると、該硬貨を集積した後、使用者に受け取らせる。
【００２５】
シュート部１４は、硬貨の直径よりも十分に大きい内径を有する筒状に形成されており、重力を利用して硬貨を入出金部１３から上分離部１５へ進行させる。すなわちシュート部１４は、硬貨を１枚ずつに分離することなく、複数の硬貨が連なった状態やある程度まとまった状態のまま、複数の硬貨を短時間で移動させる。
【００２６】
上分離部１５は、大きく分けて、下側の比較的大きい容積を占める部分である集積分離部１５Ａと、該集積分離部１５Ａから上方に突出するように形成された分離搬送部１５Ｂとにより構成されている。集積分離部１５Ａは、シュート部１４から硬貨が落下してくると、この硬貨を集積空間内に集積する。また集積分離部１５Ａは、傾斜円盤１５Ｃを図２中時計回りに回転させることにより、集積された硬貨を適宜撹拌しながら、傾斜円盤１５Ｃに形成された突起に硬貨を１枚ずつ引っ掛け、該硬貨の盤面を該傾斜円盤１５Ｃに対向（すなわち当接）させた姿勢で持ち上げていき、分離搬送部１５Ｂに引き渡す。
【００２７】
分離搬送部１５Ｂは、硬貨を案内する搬送ガイドと、該搬送ガイドに沿って走行するピンベルトとを有している。搬送ガイドは、上方へ進行してから後ろ斜め下方向へ屈曲するような搬送経路に沿って形成されている。また搬送ガイドには、搬送経路の左側において硬貨の盤面と対向するガイド面を貫通するようにして、該搬送経路に沿った溝が形成されている。
【００２８】
ピンベルトは、搬送ガイドの左側に配置されており、図示しないプーリ等によって搬送経路に沿って走行するように張架されている。このピンベルトは、走行方向に沿って所定間隔毎に搬送ピンが設けられており、搬送ピンの先端が搬送ガイドの溝に入り込むように、ガイド面よりも右側に突出している。分離搬送部１５Ｂは、傾斜円盤１５Ｃの回転と同期するようにピンベルトを走行させることにより、集積分離部１５Ａから引き渡された硬貨を搬送ガイドに沿って上方向へ搬送してから後ろ斜め下方へ搬送し、認識搬送部１６に引き渡す。
【００２９】
［２−２．認識搬送部及び受渡部の構成］
認識搬送部１６は、シュート部１４の右側（図２における紙面の手前側）に位置しており、上分離部１５の分離搬送部１５Ｂにより硬貨が搬送されてくると、これを圧接搬送ベルト（図示せず）と搬送ガイド（図示せず）の搬送面との間に挟み込み、圧接搬送ベルトの走行に伴ってこの硬貨を摺動させながら搬送面に沿って後方へ搬送する。やがて認識搬送部１６は、この硬貨が撮像部（図示せず）の右側に到達すると、該撮像部により該硬貨を撮像して画像信号を生成し、これを硬貨制御部１２へ供給すると共に、引き続き該圧接搬送ベルトの走行によりこの硬貨を後方へ搬送して、後側の受渡部１７に引き渡す。
【００３０】
受渡部１７は、前側の認識搬送部１６と後側のピンベルト搬送部１８との間に位置しており、搬送ガイドにより硬貨を後ろ斜め下方へ進行させる。これにより受渡部１７は、認識搬送部１６から受け取った硬貨を、ピンベルト搬送部１８による硬貨の搬送経路上に位置させて該ピンベルト搬送部１８に引き渡す。このとき受渡部１７は、硬貨を１枚ずつ受け渡す。すなわち受渡部１７は、認識搬送部１６において１枚ずつ認識された硬貨を、１枚ずつに分離された状態を維持したまま、且つ受け取った順序も維持したまま、ピンベルト搬送部１８に順次引き渡す。
【００３１】
［２−３．ピンベルト搬送部の構成］
ピンベルト搬送部１８は、スタッカ部２１の前側下部、下側、後側及び上側を取り囲むように配置されている。説明の都合上、以下ではピンベルト搬送部１８の前側下部、下側、後側及び上側をそれぞれ前ピンベルト搬送部１８Ｆ、下ピンベルト搬送部１８Ｄ、後ピンベルト搬送部１８Ｂ及び上ピンベルト搬送部１８Ｕと呼ぶ。このうち下ピンベルト搬送部１８Ｄの大部分は、出金搬送部２２及び一時保留部２３の左側、すなわち図２における紙面の奥側に位置している。
【００３２】
ピンベルト搬送部１８は、大きく分けて搬送ガイド及びピンベルト（図示せず）により構成されている。搬送ガイドは、硬貨の搬送面を形成し、搬送面を硬貨の盤面と当接させる。ピンベルト搬送部１８のうち上ピンベルト搬送部１８Ｕと下ピンベルト搬送部１８Ｄとは、前後方向に沿って硬貨を案内する。また上ピンベルト搬送部１８Ｕは、前端近傍において、前斜め下方向へ屈曲し、入出金部１３と接続されている。一方、ピンベルト搬送部１８のうち前ピンベルト搬送部１８Ｆ及び後ピンベルト搬送部１８Ｂは、概ね上下方向に沿って硬貨を案内する。
【００３３】
ピンベルトは、搬送ベルト及び搬送ピン（図示せず）により構成されている。搬送ベルトは、可撓性を有する材料によって円環状に形成されている。一方、硬貨処理装置筐体１１には、主に搬送ガイドが屈曲する箇所の近傍に、複数のプーリがそれぞれ回転可能に設けられている。搬送ベルトは、各プーリを順次結ぶように張架される。ピンベルト搬送部１８は、図示しないモータから一部のプーリに駆動力が伝達されると、該プーリを図２中反時計回りに回転させ、これに伴ってピンベルトを図２中反時計回りとなるように走行させる。これに伴いピンベルト搬送部１８は、搬送ガイドの搬送面に硬貨の盤面（すなわち左側面）を寄りかからせた状態で、搬送ピンにより該硬貨に対し搬送方向へ力を加え、該搬送ガイドに沿って進行させることにより、搬送する。
【００３４】
このピンベルト搬送部１８は、受渡部１７から硬貨を受け取ると、この硬貨を前ピンベルト搬送部１８Ｆに沿って下方へ進行させ、さらに下ピンベルト搬送部１８Ｄに沿って後方へ進行させる。続いてピンベルト搬送部１８は、この硬貨を後ピンベルト搬送部１８Ｂに沿って上方へ進行させ、さらに上ピンベルト搬送部１８Ｕに沿って前方へ進行させた後、入出金部１３へ進行させる。すなわちピンベルト搬送部１８は、認識搬送部１６から受渡部１７を介して受け渡された硬貨を、スタッカ部２１の周囲を周回するようにして、概ね環状に形成された搬送経路に沿って入出金部１３へ搬送する。
【００３５】
かかる構成に加えてピンベルト搬送部１８には、６箇所の分岐部が設けられている。この分岐部は、ピンベルト搬送部１８を進行する硬貨の進行先を、それぞれ、補充回収庫２４へ切り替え可能な前補回分岐部と、第１補充リジェクト庫２５又は第２補充リジェクト庫２６へ切り替え可能な前リジェクト分岐部と、一時保留部２３へ切り替え可能な一時保留分岐部と、リジェクト庫２７へ切り替え可能な後第１リジェクト分岐部と、取忘取込庫２８へ切り替え可能な後第２リジェクト分岐部と、補充回収庫２４が硬貨処理装置筐体１１の後側に取り付けられた場合に該補充回収庫２４へ切り替え可能な後補回分岐部とにより構成されている。
【００３６】
各分岐部は、硬貨制御部１２の制御に基づいて分岐板（図示せず）を回動させることにより、硬貨を引き続きピンベルト搬送部１８に沿って進行させるか、又は該硬貨をピンベルト搬送部１８から分岐させてそれぞれの搬送先へ進行させるかを切り替える。
【００３７】
さらにピンベルト搬送部１８には、６個のスタッカ部２１のそれぞれ上側となる６箇所に、スタッカ分岐部が設けられている。スタッカ分岐部の左側には、硬貨をスタッカ部２１へ案内する案内部３１が設けられている。各スタッカ分岐部は、硬貨制御部１２の制御に基づいて分岐板を回動させることにより、硬貨を引き続きピンベルト搬送部１８に沿って進行させるか、又は該硬貨をピンベルト搬送部１８から分岐させて各スタッカ部２１へ進行させるかを切り替える。
【００３８】
このようにピンベルト搬送部１８は、認識搬送部１６から受渡部１７を介して受け渡された硬貨を搬送経路に沿って搬送し、該硬貨の搬送経路を分岐部又はスタッカ分岐部により適宜分岐させて補充回収庫２４やスタッカ部２１等へ進行させ、又は入出金部１３へ進行させる。
【００３９】
［２−４．スタッカ部、出金搬送部及び一時保留部の構成］
硬貨処理装置１０には、前後方向に沿って６個のスタッカ部２１（２１Ａ、２１Ｂ、２１Ｃ、２１Ｄ、２１Ｅ及び２１Ｆ）が整列配置されている。各スタッカ部２１は、それぞれ所定の金種の硬貨と対応付けられている。このスタッカ部２１は、案内部３１の下側においてスタッカ部２１の大部分を占める収納部５０と、該収納部５０の下側に設けられた繰出機構６９とにより構成されている。これらのスタッカ部２１は、前後方向に隣接する２つのスタッカ部２１毎に、１つのスタッカユニット４４として一体化するようにまとめられている。具体的に硬貨処理装置１０は、スタッカ部２１Ａ及び２１Ｂで１つのスタッカユニット４４を構成し、スタッカ部２１Ｃ及び２１Ｄで１つのスタッカユニット４４を構成し、スタッカ部２１Ｅ及び２１Ｆで１つのスタッカユニット４４を構成している。
【００４０】
収納部５０は、硬貨の盤面をほぼ水平とした姿勢で順次積み上げるようにして、上下方向に沿って集積するための集積空間が形成された円筒形状の筒収納部５６を有している。因みに収納部５０では、３つの筒収納部５６が設けられており、これらを水平面内で移動させ得るようになっている。案内部３１は、スタッカ分岐部から引き渡される硬貨を筒収納部５６の上端近傍へ案内し、該筒収納部５６内に既に集積されている他の硬貨の上側に載置させる。
【００４１】
繰出機構６９は、筒収納部５６の下端近傍において、該筒収納部５６に集積されている硬貨のうち最も下側の１枚を繰り出す。具体的に繰出機構６９は、筒収納部５６の真下から右側にかけてベルト及びプーリの組み合わせでなる繰出搬送部７２（図９）を構成しており、このベルトの上面を右方向へ向けて走行させることにより、筒収納部５６内に集積されている最も下側の硬貨を右方向へ搬送して繰り出す。
【００４２】
ここで、スタッカ部２１は下ピンベルト搬送部１８Ｄのほぼ真上に位置している。またスタッカ部２１における繰出機構６９は、ベルトの右端を出金搬送部２２の真上に、すなわち下ピンベルト搬送部１８Ｄの右側に位置させている。このためスタッカ部２１から繰り出された硬貨は、下ピンベルト搬送部１８Ｄへ落下することなく、出金搬送部２２又は一時保留部２３へ落下する。
【００４３】
出金搬送部２２は、後側から４個のスタッカ部２１、すなわちスタッカ部２１Ｃ〜２１Ｆの右下側に位置している。この出金搬送部２２は、上側及び前側が開放された中空の直方体のような形状となっており、内部に硬貨を収容し得る空間を形成している。この出金搬送部２２は、硬貨制御部１２の制御に基づいてプーリを回転させることにより、ベルトの上面を前方向へ進行させ、該ベルト上に載置若しくは集積されている硬貨を前方向へ搬送し、やがて一時保留部２３内へ落下させる。このとき出金搬送部２２は、硬貨を１枚ずつに分離することなく、複数の硬貨が連なった状態やある程度まとまった状態のまま、複数の硬貨を短時間で搬送する。
【００４４】
一時保留部２３は、硬貨を一時的に集積させる箇所であり、出金搬送部２２の前側、すなわちスタッカ部２１Ａ及び２１Ｂの右下側に位置している。一時保留部２３は、スタッカ部２１Ａ及び２１Ｂから硬貨が繰り出されて落下してくると、これらを内部空間に収容し、ベルト上に載置させ、若しくは他の硬貨と共に集積させる。また一時保留部２３は、出金搬送部２２から搬送されてきた硬貨も、内部空間のベルト上に載置若しくは集積させる。このため一時保留部２３は、ピンベルト搬送部１８から一時保留分岐部を介して硬貨が引き渡されると、この硬貨も内部空間のベルト上に載置若しくは集積させる。
【００４５】
この一時保留部２３は、ベルトを停止させている場合、内部空間に集積している硬貨をそのまま保持する。一方、一時保留部２３は、硬貨制御部１２の制御に基づいてベルトの上面を前上方向に走行させた場合、集積している硬貨を前斜め上方へ進行させていき、やがて該ベルトの前端部分から繰り出して上分離部１５に受け渡すこと、すなわち認識搬送部１６へ搬送させる。このとき一時保留部２３は、出金搬送部２２と同様に、硬貨を１枚ずつに分離することなく、複数の硬貨が連なった状態やある程度まとまった状態のまま、複数の硬貨を短時間で搬送する。
【００４６】
［２−５．補充回収庫、リジェクト庫等及び下分離部の構成］
補充回収庫２４は、硬貨処理装置筐体１１の下部前側に設けられており、直方体における後上側部分を仕切って第１補充リジェクト庫２５及び第２補充リジェクト庫２６とした場合の残った部分となっている。この補充回収庫２４は、ピンベルト搬送部１８から前補回分岐部を介して硬貨が進行してくると、この硬貨を内部に進行させて集積する。また補充回収庫２４は、ベルトを停止させている場合には、硬貨を集積した状態を保持する一方、硬貨制御部１２の制御に基づいてベルトの上面を後方へ進行させるように走行させた場合、この硬貨を後方へ搬送して該ベルトの後端近傍から補充回収庫２４の後方へ繰り出す。
【００４７】
第１補充リジェクト庫２５は、補充回収庫２４の後上側における右側に位置しており、該補充回収庫２４と比較して十分に小さい直方体状に形成されている。また第１補充リジェクト庫２５は、補充回収庫２４と同様に、内部に硬貨を集積する空間が形成されている。この第１補充リジェクト庫２５は、ピンベルト搬送部１８から前リジェクト分岐部を介して硬貨が進行してくると、この硬貨を内部に収容する。
【００４８】
第２補充リジェクト庫２６は、第１補充リジェクト庫２５の左側に位置しており、該第１補充リジェクト庫２５とほぼ同様に構成されている。この第２補充リジェクト庫２６は、ピンベルト搬送部１８から前リジェクト分岐部と、該前リジェクト分岐部よりも下側に設けられた前第２リジェクト分岐部とを順次介して硬貨が進行してくると、この硬貨を内部に収容する。
【００４９】
リジェクト庫２７は、第１補充リジェクト庫２５と同様に構成されており、後第１リジェクト分岐部を介して硬貨が進行してくると、この硬貨を内部に収容する。取忘取込庫２８は、リジェクト庫２７の左側に設けられており、第２補充リジェクト庫２６と同様に構成されており、後第２リジェクト分岐部を介して硬貨が進行してくると、この硬貨を内部に収容する。
【００５０】
下分離部２９は、硬貨処理装置筐体１１の下部における中央付近であり、補充回収庫２４の後側に隣接する位置に配置されている。この下分離部２９は、上分離部１５と類似した構成となっており、集積分離部１５Ａ、分離搬送部１５Ｂ及び傾斜円盤１５Ｃとそれぞれ対応する集積分離部２９Ａ、分離搬送部２９Ｂ及び傾斜円盤２９Ｃにより構成されている。集積分離部２９Ａは、内部の傾斜円盤２９Ｃを回転させることにより、集積されている硬貨を１枚ずつに分離して分離搬送部２９Ｂに引き渡す。分離搬送部２９Ｂは、集積分離部２９Ａから受け取った硬貨を１枚ずつ上方へ持ち上げるように搬送し、一時保留部２３の放出口から内部の空間へ放出する。
【００５１】
このように下分離部２９は、硬貨処理装置１０内において比較的下側に位置する補充回収庫２４から繰り出された硬貨を、これよりも上側に位置する一時保留部２３へ搬送する。
【００５２】
［３．各種処理における硬貨の搬送］
次に、硬貨処理装置１０において硬貨の搬送を伴う種々の処理、すなわち入金処理及び出金処理等における硬貨の搬送や集積等について説明する。ここでは、現金自動預払機１と顧客との間で入金取引及び出金取引を行う場合における硬貨処理装置１０での処理についてそれぞれ説明する。
【００５３】
［３−１．入金取引における硬貨の搬送］
まず、現金自動預払機１（図１）において顧客との間で入金取引が行われる場合について説明する。この場合、硬貨処理装置１０は、前段の入金計数処理により、顧客に入金された硬貨の金種等を認識しながら枚数を計数し、これに続く後段の入金収納処理により、各硬貨を適切な収納箇所へ搬送して収納する。
【００５４】
具体的に硬貨処理装置１０の硬貨制御部１２は、現金自動預払機１の主制御部９（図１）と連携することにより、操作表示部６（図１）を介して顧客から入金取引を開始する旨の操作入力を受け付けると、入金計数処理を開始する。
【００５５】
このとき硬貨制御部１２は、まず主制御部９と連携して硬貨入出金口５（図１）のシャッタ及び入出金部１３の上シャッタを開いて顧客に入出金部１３内へ硬貨を投入させる。次に硬貨制御部１２は、顧客から操作表示部６（図１）を介して硬貨の取り込みを開始する操作入力を受け付けると、硬貨入出金口５のシャッタ及び入出金部１３の上シャッタを閉塞した上で、入出金部１３からシュート部１４を介して上分離部１５に硬貨を引き渡す。
【００５６】
上分離部１５は、硬貨を１枚ずつに分離して繰り出し、認識搬送部１６へ引き渡す。認識搬送部１６は、硬貨を１枚ずつ搬送しながら認識し、受渡部１７に引き渡すと共に、得られた認識結果を硬貨制御部１２へ通知する。
【００５７】
これに応じて硬貨制御部１２は、通知された認識結果を基に、該硬貨を受け入れ得るか否かを判定すると共にその搬送先を決定し、さらに記憶する。このとき硬貨制御部１２は、該硬貨が取扱可能な金種であり、且つ正当である（すなわち偽造されていない）と判定した場合にこれを受入可能とし、それ以外の場合を受入不可能とする。また硬貨制御部１２は、受入可能と判定した硬貨の金額を逐次加算することにより合計金額を集計する。
【００５８】
受渡部１７は、認識搬送部１６から受け取った硬貨をピンベルト搬送部１８に引き渡す。ピンベルト搬送部１８は、該硬貨が受入可能であれば、一時保留分岐部まで搬送して分岐させて一時保留部２３へ進行させ、該一時保留部２３に集積させる。またピンベルト搬送部１８は、該硬貨が受入不可能であれば、入出金部１３まで搬送して収容させる。
【００５９】
やがて硬貨制御部１２は、上分離部１５から全ての硬貨を繰り出し終えると、入出金部１３に受入不可能な硬貨を収容していれば、主制御部９（図１）と協働し上シャッタ等を開放させ、該硬貨を顧客に返却して確認させると共に、必要に応じて再投入させる。一方、硬貨制御部１２は、入出金部１３に受入不可能な硬貨を収容していなければ、入金計数処理を完了し、入金計数処理を完了したこと及び集計した合計金額（以下これを入金額と呼ぶ）を主制御部９に通知する。これに応じて現金自動預払機１の主制御部９は、所定の操作指示画面を操作表示部６（図１）に表示させ、顧客にこの入金額を提示すると共に入金取引を継続するか、又は中止するかを選択させる。
【００６０】
ここで入金取引の中止が選択されると、主制御部９はこのことを硬貨制御部１２に通知する。これに応じて硬貨制御部１２は、入金返却処理を行うことにより、一時保留部２３に集積している硬貨を入出金部１３へ搬送して顧客に返却する。
【００６１】
一方、顧客から入金取引の継続が選択されると、主制御部９はこのことを硬貨制御部１２に通知する。これに応じて硬貨制御部１２は、入金収納処理を行うことにより、一時保留部２３に集積している硬貨をスタッカ部２１へ搬送して金種毎に集積させる。
【００６２】
具体的に硬貨制御部１２は、一時保留部２３のベルトを走行させることにより、一時保留部２３内に集積している硬貨を前方へ搬送して繰り出し、上分離部１５に順次引き渡す。上分離部１５及び認識搬送部１６は、硬貨を１枚ずつに分離してから認識すると共に、受渡部１７へ引き渡す。
【００６３】
これに応じて硬貨制御部１２は、得られた認識結果を基に、該硬貨が再利用可能であるか否か、すなわち以降の出金処理において出金可能な硬貨であるか否かを判定し、該硬貨の搬送先を決定する。このとき硬貨制御部１２は、該硬貨が再利用可能であれば、その金種に応じたスタッカ部２１（２１Ａ〜２１Ｆ）を搬送先とし、再利用不可能であれば、リジェクト庫２７を搬送先とする。因みに以下では、再利用不可能と判定された硬貨をリジェクト硬貨とも呼ぶ。
【００６４】
受渡部１７は、認識搬送部１６から受け取った硬貨をピンベルト搬送部１８に引き渡す。ピンベルト搬送部１８は、該硬貨が再利用可能であれば、前ピンベルト搬送部１８Ｆ、下ピンベルト搬送部１８Ｄ及び後ピンベルト搬送部１８Ｂにより該硬貨を順次搬送する。やがてピンベルト搬送部１８は、該硬貨が上ピンベルト搬送部１８Ｕに到達すると、金種に応じたスタッカ分岐部により該硬貨を分岐させ、案内部３１を介して収納部５０に集積させる。
【００６５】
ところでスタッカ部２１では、収納部５０の筒収納部５６に集積可能な硬貨の最大枚数が規定されており、既に最大枚数の硬貨が集積されている場合、新たな硬貨を集積することができない。このような場合、硬貨制御部１２は、該硬貨を入出金部１３まで搬送して繰り出し、さらにシュート部１４を介して上分離部１５へ進行させる。これにより該硬貨は、やがて搬送経路に沿って再びスタッカ部２１まで搬送される。
【００６６】
一方、スタッカ部２１は、複数の筒収納部５６を水平面内で移動させるための移動機構である図３に示す収納駆動部５１を有しており、１個の筒収納部５６に最大枚数の硬貨が集積された場合、該筒収納部５６を案内部３１の下側から他の箇所へ移動させると共に、他の筒収納部５６を案内部３１の下側に移動させる。すなわちスタッカ部２１は、その内部において、案内部３１の下側に位置する筒収納部５６を交換する。これによりスタッカ部２１は、次に硬貨が搬送されてきたときに、該硬貨を集積できる。
【００６７】
一方、ピンベルト搬送部１８は、該硬貨が再利用不可能であれば、後第１リジェクト分岐部まで搬送して分岐させてリジェクト庫２７へ進行させ、収容させる。やがて硬貨制御部１２は、一時保留部２３に集積していた全ての硬貨をそれぞれの搬送先に搬送し終えると、入金収納処理を終了する。
【００６８】
［３−２．出金取引における硬貨の搬送］
次に、現金自動預払機１（図１）において顧客との間で出金取引が行われる場合について説明する。この場合、硬貨処理装置１０は、出金処理により、顧客に指示された金額の硬貨を入出金部１３へ搬送して出金する。
【００６９】
具体的に硬貨処理装置１０の硬貨制御部１２は、現金自動預払機１の主制御部９（図１）と連携することにより、操作表示部６を介して顧客から出金取引を開始する旨の操作入力を受け付けると、出金処理を開始する。
【００７０】
このとき硬貨制御部１２は、まず主制御部９と連携して操作表示部６を介して出金額を含む所定の操作入力を受け付けると、硬貨制御部１２において出金額に応じた硬貨の金種及び枚数を決定する。続いて各スタッカ部２１は、決定した金種及び枚数に応じて、収納部５０に集積している硬貨を繰出機構６９によりそれぞれ繰り出し、下側の出金搬送部２２又は一時保留部２３内へ落下させ、集積させる。出金搬送部２２は、ベルトの上面を前方へ走行させることにより、集積されている硬貨を前方へ搬送し、一時保留部２３内へ落下させて集積させる。
【００７１】
その後、硬貨制御部１２は、入金返却処理及び入金収納処理の場合と同様に、一時保留部２３、上分離部１５及び認識搬送部１６により硬貨を１枚ずつに分離して順次搬送させ、該硬貨を認識して受渡部１７へ引き渡す。受渡部１７は、認識搬送部１６から受け取った硬貨をピンベルト搬送部１８に引き渡す。
【００７２】
また硬貨制御部１２は、得られた認識結果を基に該硬貨が出金可能であるか否かを判定し、その搬送先を決定すると共に記憶する。すなわち硬貨制御部１２は、該硬貨が出金可能であれば、入出金部１３を搬送先とし、出金不可能であれば、リジェクト庫２７を搬送先とする。因みに以下では、出金不可能と判定された硬貨をリジェクト硬貨とも呼ぶ。
【００７３】
ピンベルト搬送部１８は、該硬貨が出金可能であれば、入出金部１３へ搬送して収容させる。一方、ピンベルト搬送部１８は、該硬貨が出金不可能であれば、後第１リジェクト分岐部まで搬送して分岐させてリジェクト庫２７へ進行させ、収容させる。因みに硬貨制御部１２は、リジェクト硬貨が発生した場合、該硬貨と同一金種の新たな硬貨をスタッカ部２１から繰り出させる。
【００７４】
やがて硬貨制御部１２は、出金額に応じた金種及び枚数の硬貨を入出金部１３内に収容し終えると、主制御部９（図１）と協働して入出金部１３の上シャッタ等を開放して顧客に該硬貨が取り出されるのを待ち受ける。その後、硬貨制御部１２は、顧客により入出金部１３内の硬貨が取り出されたことを検知すると、再び主制御部９と協働して上シャッタ等を閉塞し、出金処理を終了する。
【００７５】
［４．スタッカユニットの全体構成］
３個のスタッカユニット４４は何れもほぼ同様に構成されている。図３に示すように１つのスタッカユニット４４は、前側のスタッカ部２１の収納部５０、集積機構５９及び繰出機構６９と、後側のスタッカ部２１の収納部５０、集積機構５９及び繰出機構６９とにより構成されている。以下では、前側のスタッカ部２１の収納部５０、集積機構５９及び繰出機構６９について主に説明する。
【００７６】
［４−１．収納部の構成］
図３、図４及び図５に示すように収納部５０は、収納駆動部５１と筒収納部回転体５５とカバー５７とにより構成されており、内部に硬貨を収納すると共に、収納駆動部５１の駆動力により、筒収納部回転体５５が回転する。
【００７７】
［４−１−１．収納駆動部の構成］
収納駆動部５１は、収納部モータ５２と、ギア５３及び５４とにより構成されている。収納駆動部５１は、収納部モータ５２の回転駆動力をギア５３とギア５４とに順次伝達し、カバー５７に設けられた孔部を介してギア５４が筒収納部回転体５５に噛み合うことにより、筒収納部回転体５５を回転させる。
【００７８】
［４−１−２．筒収納部回転体の構成］
筒収納部回転体５５は、上下方向に延びる略円筒形状に構成されており、所定の１金種の硬貨を内部に収容する。この筒収納部回転体５５は、中心に位置する回転軸５５ＡＲを中心として収納駆動部５１の駆動力により、図６中時計回りである筒収納部回転体回転方向ｒ１へ回転可能に構成されている。また筒収納部回転体５５が回転する際の回転軌道の範囲は、上下方向の範囲が筒収納部回転体５５の上端部から下端部までとなっている。
【００７９】
また図６に示すように、筒収納部回転体５５の内周側には、回転軸５５ＡＲを中心とした円周上に沿って筒収納部５６が互いに対し１２０［°］の回転角度で３つ形成されている。すなわち筒収納部回転体５５は、硬貨を重ねて集積する筒収納部５６が３個連結された構成となっている。筒収納部５６は、収納する硬貨の直径よりも僅かに広い直径であり上下方向に延び硬貨を収納する円筒形状の空間である硬貨集積空間ＳＰＣが内部に形成されている。また筒収納部５６は、硬貨集積空間ＳＰＣの下端部が筒収納部回転体５５の外側と連通している。３つの筒収納部５６は、互いに同一金種の硬貨を収納するため、互いに同一形状となっている。図４、図５及び図６に示すように、筒収納部回転体５５の外周壁には、それぞれの筒収納部５６の硬貨集積空間ＳＰＣと筒収納部回転体５５の外部とを連通させるステージ入れ込みスリット５５ＳＬが筒収納部回転体５５の上端部から下端部までに亘って形成されている。筒収納部回転体５５の上端に設けられたアッパガイド４０には、１２０［°］毎に筒回転位置検知用ディテクタＤＴ１が設けられている。
【００８０】
また筒収納部回転体５５には、図６に示すように筒収納部５６にピンベルト搬送部１８から硬貨を投入させる受入位置Ｐｒと、筒収納部５６から出金搬送部２２又は一時保留部２３へ硬貨を繰り出す繰出位置Ｐｅとが設定されている。受入位置Ｐｒは、筒収納部回転体５５の前端部における、ステージ６７の硬貨集積面６７ｐＳの上方に設定されており、繰出位置Ｐｅは、受入位置Ｐｒに対し筒収納部回転体回転方向ｒ１へ１２０［°］回転した、分離ベルト７３の左端部の上方に設定されている。このように受入位置Ｐｒと繰出位置Ｐｅとは、平面視において異なる位置に設定されている。以下では、現在受入位置Ｐｒにある筒収納部５６を受入対象筒収納部とも呼び、現在繰出位置Ｐｅにある筒収納部５６を繰出対象筒収納部とも呼ぶ。
【００８１】
硬貨処理装置１０は、例えば入金取引等において、現在受入位置Ｐｒにある筒収納部５６、すなわち受入対象筒収納部に硬貨を投入し集積させる集積動作と、例えば出金取引等において、現在繰出位置Ｐｅにある筒収納部５６、すなわち繰出対象筒収納部から硬貨を繰り出す繰出動作とを行う。また硬貨処理装置１０は、筒収納部回転体５５を収納駆動部５１により筒収納部回転体回転方向ｒ１へ回転させることにより、受入位置Ｐｒにある筒収納部５６を切り替えると共に、繰出位置Ｐｅにある筒収納部５６を切り替える。具体的に硬貨処理装置１０は、現在の受入対象筒収納部に最大枚数の硬貨が集積された状態であるフル状態になると、筒収納部回転体５５を筒収納部回転体回転方向ｒ１へ回転させ、現在受入位置Ｐｒにある筒収納部５６に対し筒収納部回転体回転方向ｒ１とは逆方向側に位置する筒収納部５６を受入位置Ｐｒへ移動させることにより、受入対象筒収納部を切り替える。
【００８２】
図４に示すように、筒収納部回転体５５の上端部よりも上方における筒回転位置検知用ディテクタＤＴ１の移動経路上には、筒回転位置検知用ディテクタＤＴ１を検知する筒回転位置検知用センサＳＥ１が設けられている。筒回転位置検知用センサＳＥ１は、筒回転位置検知用ディテクタＤＴ１を通過させる溝を挟んで、検知光を発光する発光部と該検知光を受光する受光部とを対向させて配置したＵ字状の光学式のセンサである。この筒回転位置検知用センサＳＥ１は、検知光の受光結果を硬貨制御部１２（図２）に通知する。硬貨制御部１２は、この受光結果を基に、筒収納部回転体５５の回転位置を判断する。
【００８３】
この筒収納部回転体５５は、アッパガイド４０と、サイドガイド４６と、ロアガイド４２と、回転軸５５ＡＲとにより構成されており、これらアッパガイド４０、サイドガイド４６及びロアガイド４２によって囲まれた空間に、上述した硬貨集積空間ＳＰＣが形成されている。
【００８４】
［４−２．集積機構の構成］
図８に示すように集積機構５９は、集積駆動部６０とステージ６７とにより構成されており、集積駆動部６０の駆動力により、案内部３１（図２）から搬送されてくる硬貨を受入位置Ｐｒ（図６）にある筒収納部５６に集積させる。
【００８５】
［４−２−１．集積駆動部の構成］
集積駆動部６０は、集積機構モータ６１と、ステージ駆動ベルト６２と、ギア６３及び６４と、ステージ駆動ベルトプーリ６５と、シャフト６６とにより構成されている。集積駆動部６０は、パルスモータである集積機構モータ６１の回転駆動力をギア６３とギア６４とに順次伝達し、ギア６４がステージ駆動ベルトプーリ６５に噛み合うことにより、ステージ駆動ベルトプーリ６５を回転させる。
【００８６】
ステージ駆動ベルト６２は、上端近傍及び下端近傍にそれぞれ配置されたステージ駆動ベルトプーリ６５の周囲に掛け回された無端ベルトである。集積駆動部６０は、硬貨制御部１２の制御に基づき、ステージ駆動ベルトプーリ６５を回転させることにより、ステージ駆動ベルト６２を回転させ、その右面を上下方向に沿って走行させる。シャフト６６は、円筒形状であり、ステージ駆動ベルト６２の近傍において上下方向に沿って配設されている。
【００８７】
［４−２−２．ステージの構成］
ステージ６７は、図６及び図８に示すように積置部６７ｐ、シャフト摺動部６７ｇ及び接続部６７ｃが形成されている。積置部６７ｐは、筒収納部５６の内部の硬貨集積空間ＳＰＣを、硬貨が集積される上下方向である集積方向に沿って移動可能な大きさに形成されており、上面において硬貨を集積させる水平方向に沿った平面形状の硬貨集積面６７ｐＳが形成されている。シャフト摺動部６７ｇは、シャフト６６に円筒形状の孔部が摺動可能に嵌まり込んでおり、ステージ６７の上下移動をガイドする。接続部６７ｃは、積置部６７ｐとシャフト摺動部６７ｇとを接続しており、受入位置Ｐｒにある筒収納部５６に形成されたステージ入れ込みスリット５５ＳＬ内を上下方向に移動可能に構成されている。これによりステージ６７は、ステージ入れ込みスリット５５ＳＬを介し筒収納部５６の外部から内部へ入り込み、受入位置Ｐｒにある筒収納部５６の集積空間内を上下移動する。
【００８８】
［４−２−３．センサの構成］
図７に示すように、ステージ６７及び硬貨の移動経路上には、硬貨集積面６７ｐＳ又は最上位硬貨の上面を検知する上面検知センサとしての集積上面検知用センサＳＥ２の集積上面検知用センサ光軸Ｌ１が配置されている。最上位硬貨は、ステージ６７の硬貨集積面６７ｐＳに集積された硬貨ＣＮのうち最上位に位置する硬貨ＣＮである。集積上面検知用センサＳＥ２は、硬貨集積空間ＳＰＣを挟んで、集積上面検知用センサ光軸Ｌ１に沿って検知光を発光する発光部と該検知光を受光する受光部とを左右に配置した光学式のセンサである。この集積上面検知用センサＳＥ２は、検知光の受光結果を硬貨制御部１２（図２）に通知する。硬貨制御部１２は、この受光結果を基に、硬貨集積面６７ｐＳ又は最上位硬貨の上面の位置が所定の集積上面位置にあるか否かを判断し、硬貨集積面６７ｐＳ又は最上位硬貨の上面の位置が集積上面位置よりも下側にあるようにステージ６７を制御する。
【００８９】
また図７に示すように、筒収納部回転体５５の上端部近傍におけるステージ６７の移動経路上には、ステージ６７を検知するステージアップポジションセンサＳＥ６のステージアップポジションセンサ光軸Ｌ２が配置されている。ステージアップポジションセンサＳＥ６は、案内部３１を挟んで、ステージアップポジションセンサ光軸Ｌ２に沿って検知光を発光する発光部と該検知光を受光する受光部とを左右に配置した光学式のセンサである。このステージアップポジションセンサＳＥ６は、検知光の受光結果を硬貨制御部１２に通知する。硬貨制御部１２は、この受光結果を基に、ステージ６７が所定の上限位置にあるか否かを判断する。具体的にステージアップポジションセンサＳＥ６は、ステージ６７が上限位置にあると、検知光がステージ６７に設けられたステージアップポジションディテクタＤＴ２によって遮られ検知光を受光していないことを示す受光結果（すなわちＯＮ状態）を硬貨制御部１２（図２）に通知する。
【００９０】
筒収納部回転体５５の下端部よりも下方におけるステージ６７の移動経路上には、ステージ６７を検知するステージボトムポジションセンサＳＥ３が設けられている。ステージボトムポジションセンサＳＥ３は、筒回転位置検知用センサＳＥ１（図４）と同様の光学式のセンサである。このステージボトムポジションセンサＳＥ３は、検知光の受光結果を硬貨制御部１２（図２）に通知する。硬貨制御部１２は、この受光結果を基に、ステージ６７が所定の下限位置にあるか否かを判断する。具体的にステージボトムポジションセンサＳＥ３は、ステージ６７が下限位置にあると、検知光を受光していないことを示す受光結果（すなわちＯＮ状態）を硬貨制御部１２に通知する。ステージ６７が下限位置にあると、ステージ６７は筒収納部回転体５５が回転する際の回転軌道の範囲よりも下側へ退避するため、筒収納部回転体５５が回転してもステージ６７は筒収納部回転体５５とは干渉しない。
【００９１】
硬貨制御部１２は、ステージボトムポジションセンサＳＥ３と集積上面検知用センサＳＥ２との両方から同時に、検知光を受光していないことを示す受光結果（すなわちＯＮ状態）を取得した場合、現在受入位置Ｐｒにある筒収納部５６には上限枚数まで硬貨が集積された、すなわち筒収納部５６がフル状態であると判断する。
【００９２】
集積機構モータ６１（図８）の出力軸には、集積回転位置検知用ディテクタＤＴ４が設けられている。集積回転位置検知用ディテクタＤＴ４の移動経路上には、集積回転位置検知用ディテクタＤＴ４を検知する集積回転位置検知用センサＳＥ４が設けられている。集積回転位置検知用センサＳＥ４は、筒回転位置検知用センサＳＥ１（図４）と同様の光学式のセンサである。この集積回転位置検知用センサＳＥ４は、検知光の受光結果を硬貨制御部１２（図２）に通知する。硬貨制御部１２は、この受光結果を基に、集積機構モータ６１の回転位置、すなわちステージ６７の上下方向の位置を検出する。
【００９３】
［４−３．繰出機構の構成］
図９に示すように繰出機構６９は、繰出駆動部７０と、繰出搬送部７２と、塞ぎ止め部７５と、繰出機構フレーム８０とにより構成されており、繰出機構フレーム８０に各種部品が取り付けられていると共に、繰出駆動部７０の駆動力により、繰出位置Ｐｅにある筒収納部５６に集積されている硬貨を外部に繰り出す。
【００９４】
［４−３−１．繰出駆動部の構成］
繰出駆動部７０は、繰出機構モータ７１と、塞ぎ止め部７５の塞ぎ止めソレノイド７６とにより構成されている。繰出駆動部７０は、繰出機構モータ７１の回転駆動力を繰出搬送部７２の分離ベルトプーリ７４ｄに伝達することにより、分離ベルトプーリ７４ｄを回転させる。また繰出駆動部７０は、硬貨制御部１２の制御に基づき塞ぎ止め部７５の塞ぎ止めソレノイド７６を制御することにより、塞ぎ止め部７５の塞ぎ止めピン７７（図７）を駆動させる。
【００９５】
［４−３−２．繰出搬送部の構成］
図７及び図９に示すように繰出搬送部７２は、分離ベルト７３と分離ベルトプーリ７４（分離ベルトプーリ７４ｄ及び７４ｆ）とにより構成されている。分離ベルト７３は、左端近傍及び右端近傍にそれぞれ配置された分離ベルトプーリ７４ｆ及び分離ベルトプーリ７４ｄの周囲に掛け回されたゴム製の無端ベルトである。繰出搬送部７２は、硬貨制御部１２（図２）の制御に基づき、分離ベルトプーリ７４ｄを回転させることにより、分離ベルト７３を図９中時計回りである分離回転方向Ｒ１に沿って回転させ、その上面を左右方向に沿って走行させる。説明の都合上、以下では、分離ベルト７３における上面部分の走行方向を、該分離ベルト７３の走行方向と見なす。
【００９６】
繰出位置Ｐｅにある筒収納部５６の下端部における右端部と分離ベルト７３との間には、筒収納部５６から硬貨を１枚ずつ繰り出す硬貨繰出口（図示せず）が形成されている。筒収納部回転体５５の下端部の右端部と分離ベルト７３との間隔、すなわち硬貨繰出口の上下方向の高さは、硬貨１枚分の厚さよりも僅かに長く設定されている。このため分離ベルト７３は、分離回転方向Ｒ１（図８）に沿って回転することにより、繰出位置Ｐｅにある筒収納部５６から硬貨を１枚ずつ繰り出して出金搬送部２２又は一時保留部２３（図２）へ向けて右方へ搬送する。
【００９７】
［４−３−３．塞ぎ止め部の構成］
図７に示すように塞ぎ止め部７５は、塞ぎ止めソレノイド７６と塞ぎ止めピン７７とにより構成されている。塞ぎ止めソレノイド７６は、下端部に設けられた円筒形状の塞ぎ止めピン７７を硬貨制御部１２（図２）の制御に基づき上下移動させ、硬貨通過可能状態と塞ぎ止め状態とに遷移する。硬貨通過可能状態は、塞ぎ止めピン７７の下端部を分離ベルト７３の上面から上方へ硬貨の１枚分の厚さだけ離隔させることにより、分離ベルト７３に載った硬貨の右方への移動を可能とする状態である。塞ぎ止め状態は、塞ぎ止めピン７７の下端部を分離ベルト７３の上面に当接させることにより、分離ベルト７３に載った硬貨の右方への移動を規制する状態である。
【００９８】
繰出機構６９は、繰出動作時において所定の出金枚数分だけ筒収納部５６から硬貨を分離して繰り出すと、分離ベルト７３の回転を停止させることに加えて、塞ぎ止めピン７７を下降させて塞ぎ止め状態とすることにより、筒収納部回転体５５の下端部と分離ベルト７３との隙間から硬貨が余分に繰り出されてしまうことを防いでいる。
【００９９】
［４−３−４．繰出機構フレームの構成］
図６に示すように繰出機構フレーム８０は、金属板が折り曲げられることにより構成されている。この繰出機構フレーム８０は、水平方向に沿う平面である繰出機構フレーム天面８０ＵＳが、上側の板部である繰出機構フレーム天板８０Ｕにおける上面に形成されている。繰出機構フレーム天板８０Ｕは、ステージ６７の積置部６７ｐ及び接続部６７ｃと、分離ベルト７３と、分離ベルトプーリ７４ｄと、分離ベルトプーリ７４ｆとを入り込ませるように、これらの平面視の外形よりも僅かに大きい孔部及び切欠きが穿設されている。これにより繰出機構フレーム天板８０Ｕは、ステージ６７の積置部６７ｐ及び接続部６７ｃと、分離ベルト７３と、分離ベルトプーリ７４ｄと、分離ベルトプーリ７４ｆとを、上面側に露出させている。ステージ６７の積置部６７ｐと分離ベルト７３の上面とは、ステージ６７が下限位置にある状態において繰出機構フレーム天面８０ＵＳとほぼ面一になっている。
【０１００】
［４−３−５．センサの構成］
図９に示すように、分離ベルト７３によって搬送される硬貨の移動経路上には、繰出硬貨検知用センサＳＥ５の光軸が配置されている。繰出硬貨検知用センサＳＥ５は、分離ベルト７３の左右方向のほぼ中央部分における前方の空間を挟んで、検知光を発光する発光部と該検知光を受光する受光部とを上下に配置した光学式のセンサである。また、繰出硬貨検知用センサＳＥ５は、発光部から発光される検知光を受光部で受光するまでの光軸を、分離ベルト７３によって搬送される硬貨の移動経路と交差するように配置されている。この繰出硬貨検知用センサＳＥ５は、検知光の受光結果を硬貨制御部１２（図２）に通知する。硬貨制御部１２は、この受光結果を基に、筒収納部５６から硬貨が正常に繰り出されているか否かを判断し、筒収納部５６から硬貨が正常に繰り出されていない場合、後述する硬貨戻し動作や硬貨回転動作等を行う。また繰出機構フレーム８０の繰出機構フレーム天板８０Ｕ（図６）には、光軸を上下方向に通過させる光軸通過孔８０Ａが穿設されている。以下では、集積上面検知用センサＳＥ２、ステージボトムポジションセンサＳＥ３、集積回転位置検知用センサＳＥ４、繰出硬貨検知用センサＳＥ５及びステージアップポジションセンサＳＥ６をまとめて、硬貨集積空間ＳＰＣにおける異常を検知する異常検知センサ９０とも呼ぶ。
【０１０１】
［５．異常検出］
［５−１．集積動作時の異常検出］
かかる構成において集積動作を行う際、硬貨制御部１２は、受入位置Ｐｒにある筒収納部５６内部において、動作前の位置である下限位置から、検知光を受光していないことを示す受光結果（すなわちＯＮ状態）を集積上面検知用センサＳＥ２から取得するまでステージ６７を上昇させることにより、ステージ位置出し制御を行う。続いて硬貨処理装置１０は、集積対象となる筒収納部回転体５５に対応したスタッカ分岐部の分岐板を回動させ、ピンベルト搬送部１８から案内部３１内に硬貨ＣＮを案内する。硬貨ＣＮは案内部３１内を滑落し、筒収納部５６内に放出される。以降、硬貨制御部１２は、集積上面検知用センサＳＥ２からの受光結果を基に硬貨集積面６７ｐＳ又は最上位硬貨の上面の位置が集積上面位置よりも下側にあるようにステージ６７を上昇又は下降するように制御する。
【０１０２】
ここで例えば、図７に示すように、受入位置Ｐｒにある筒収納部５６内部に異物ＦＭが混入して筒収納部５６内部で詰まり、ステージ位置出し制御を行う際に、ステージ６７が該異物ＦＭに引っ掛かってそれ以上上昇できない場合、硬貨制御部１２は、ステージボトムポジションセンサＳＥ３がＯＮ状態からＯＦＦ状態に遷移したことを取得してから規定時間が経過しても、集積上面検知用センサＳＥ２がＯＦＦ状態からＯＮ状態に遷移したことを取得しないこととなる。さらに硬貨制御部１２は、ステージ６７に硬貨ＣＮが載置されていない場合、ステージボトムポジションセンサＳＥ３がＯＮ状態からＯＦＦ状態に遷移したことを取得してから規定時間が経過しても、ステージアップポジションセンサＳＥ６がＯＦＦ状態からＯＮ状態に遷移したことを取得しないこととなる。
【０１０３】
また、筒収納部５６内に硬貨ＣＮが放出されている際に、硬貨ＣＮが盤面を水平方向に向けずに立った状態で集積されてしまう硬貨立ちが発生した場合、硬貨立ちとなっている硬貨ＣＮである立ち硬貨が集積上面検知用センサ光軸Ｌ１を遮るため、硬貨制御部１２は、集積上面検知用センサＳＥ２が規定時間を超えたＯＮ状態になっていることを取得する、すなわち一定時間内にＯＮ状態からＯＦＦ状態に遷移したことを集積上面検知用センサＳＥ２から取得しないこととなる。
【０１０４】
このように、受入位置Ｐｒにある筒収納部５６において、ステージ６７が正常に上昇できないことによる集積不良や硬貨立ちによる集積不良等の異常が発生した場合、硬貨制御部１２は、異常検出時処理を行う。
【０１０５】
具体的に硬貨制御部１２は、ステージ６７が正常に上昇できない場合、筒収納部５６内への硬貨ＣＮの放出を停止させてから、ステージ６７を上昇させることを所定回数だけ再度試みる集積不良時ステージ上昇制御をリトライ動作として行う。
【０１０６】
一方硬貨制御部１２は、硬貨立ちが発生している場合、筒収納部５６内への硬貨ＣＮの放出を停止させてから、硬貨立ち解除動作として、まず後述する硬貨立ち時ステージ上昇制御を行う。
【０１０７】
硬貨立ち時ステージ上昇制御を行う際、硬貨制御部１２は、ステージ６７を所定の上昇量だけ上昇させる。このとき、立ち硬貨は、アッパガイド４０の下面に衝突した衝撃により姿勢が変化し、盤面が水平方向に沿い、正常に集積されている硬貨ＣＮの上側に集積される可能性がある。
【０１０８】
一方、硬貨立ち時ステージ上昇制御を行っても、硬貨ＣＮが正常に集積できなかった場合、硬貨制御部１２は、硬貨立ち時筒回転制御を行う。硬貨立ち時筒回転制御を行う際、硬貨制御部１２は、筒収納部回転体５５を回転軸５５ＡＲを中心として筒収納部回転体回転方向ｒ１へ１周分だけ回転させる、すなわち１回転させる。このとき硬貨ＣＮは、遠心力によって、ステージ入れ込みスリット５５ＳＬ（図４及び図５）側に移動して、ステージ入れ込みスリット５５ＳＬよりも回転軸５５ＡＲを中心とした半径方向の外側に突出し、カバー５７（図３）に当接する。これにより、立ち硬貨の姿勢が変化することで、正常に集積されている硬貨ＣＮの上側に集積される可能性がある。
【０１０９】
硬貨制御部１２は、硬貨立ちが発生した場合、上述した硬貨立ち時ステージ上昇制御及び硬貨立ち時筒回転制御を所定回数だけ繰り返し行うという、リトライ動作を行う。
【０１１０】
リトライ動作を行っても正常に硬貨を集積できない場合、硬貨制御部１２は、図１１に示すように、集積動作を行う前のポジションである下限位置にステージ６７を復帰させることにより、筒収納部回転体５５を回転可能な状態とし、アラームを外部の保守部門へ送信する。続いて硬貨制御部１２は、筒収納部回転体５５を筒収納部回転体回転方向ｒ１へ例えば１２０［°］だけ回転させることにより、現在受入位置Ｐｒにある筒収納部５６に対し筒収納部回転体回転方向ｒ１とは逆方向側に位置する筒収納部５６を受入位置Ｐｒへ移動させることにより、受入対象筒収納部を切り替える。さらに硬貨制御部１２は、集積不良が発生した筒収納部５６を、それ以降の集積動作には使用しないように縮退設定を行う。
【０１１１】
［５−２．繰出動作時の異常検出］
一方、繰出動作を行う際、硬貨制御部１２は、繰出位置Ｐｅにある筒収納部５６内部において、ステージ６７を下限位置へ退避させ、塞ぎ止めピン７７を上昇させて硬貨通過可能状態とし、分離ベルト７３を分離回転方向Ｒ１へ回転させることにより、筒収納部５６に集積された硬貨ＣＮのうち最下方に位置する硬貨ＣＮである１枚の最下位硬貨を、該最下位硬貨の１枚上側に位置する硬貨ＣＮである最下位上側硬貨から分離させる分離動作を行う。最下位上側硬貨から分離された最下位硬貨は、分離ベルト７３により右方へ搬送され、出金搬送部２２又は一時保留部２３内（図２）へ落下する。 所定の出金枚数分だけ筒収納部５６から硬貨ＣＮを分離して繰り出すと、硬貨制御部１２は、分離ベルト７３の回転を停止させ、塞ぎ止めピン７７を下降させて塞ぎ止め状態とすることにより、出金枚数よりも多くの硬貨を筒収納部５６から繰り出してしまうことを防ぐ。
【０１１２】
ここで例えば、繰出位置Ｐｅにある筒収納部５６内部に異物が混入して筒収納部５６内部で詰まったり、分離動作途中で筒収納部回転体５５の下端部と分離ベルト７３との間に最下位硬貨が引っ掛かったりして、それ以上は搬送方向の下流側である右側へ最下位硬貨が移動できなくなる場合がある。このとき硬貨制御部１２は、繰出硬貨検知用センサＳＥ５（図９）が所定周期でＯＦＦ状態から一定時間の間だけＯＮ状態に遷移することを取得しないこととなる。
【０１１３】
このように、繰出位置Ｐｅにある筒収納部５６において、最下位硬貨が正常に分離されない繰出不良等の異常が発生した場合、硬貨制御部１２は、異常検出時処理を行う。
【０１１４】
具体的に硬貨制御部１２は、分離ベルトプーリ７４ｄを分離動作時の分離回転方向Ｒ１とは逆方向の硬貨戻し回転方向に沿って回転させる硬貨戻し動作を行うことにより、分離ベルト７３を硬貨戻し回転方向に沿って回転させ、その上面を左方向へ走行させる。これにより硬貨制御部１２は、最下位硬貨を筒収納部５６の下方まで戻し、その後再び分離動作を行う。
【０１１５】
一方、硬貨戻し動作を行ってから分離動作を再度行っても、硬貨が正常に繰り出せなかった場合、硬貨制御部１２は、硬貨戻し動作を再度行った後に、硬貨回転動作を行う。硬貨回転動作を行う際、硬貨制御部１２は、筒収納部回転体５５を回転軸５５ＡＲを中心として筒収納部回転体回転方向ｒ１へ１周分だけ回転させる、すなわち１回転させる。このとき最下位硬貨は、分離ベルト７３、繰出機構フレーム天面８０ＵＳ、硬貨集積面６７ｐＳ、繰出機構フレーム天面８０ＵＳ、分離ベルト７３（図６）の上側に順次に当接しつつ移動する。これにより、最下位硬貨が筒収納部５６内で回転するように姿勢が変化することで、正常に繰り出されるようになる可能性がある。
【０１１６】
硬貨制御部１２は、繰出不良が発生した場合、上述した硬貨戻し動作及び硬貨回転動作を繰り返し行ってから所定回数だけ分離動作を行うという、リトライ動作を行う。リトライ動作を行っても正常に硬貨を繰り出せない場合、硬貨制御部１２は、アラームを外部の保守部門へ送信する。続いて硬貨制御部１２は、筒収納部回転体５５を筒収納部回転体回転方向ｒ１へ例えば１２０［°］だけ回転させることにより、現在繰出位置Ｐｅにある筒収納部５６に対し筒収納部回転体回転方向ｒ１とは逆方向側に位置する筒収納部５６を繰出位置Ｐｅへ移動させることにより、繰出対象筒収納部を切り替える。さらに硬貨制御部１２は、繰出不良が発生した筒収納部５６を、それ以降の繰出動作には使用しないように縮退設定を行う。
【０１１７】
［６．異常検出時処理］
次に、硬貨処理装置１０による異常検出時処理の具体的な処理手順について、図１０に示すフローチャートを用いて詳細に説明する。以下では、集積動作時における異常検出時の処理について説明する。硬貨制御部１２は、集積動作時において異常検知センサ９０（具体的には、集積上面検知用センサＳＥ２、ステージボトムポジションセンサＳＥ３及びステージアップポジションセンサＳＥ６）の検知結果に基づいて異常を検出すると、異常検出時処理プログラムを実行することにより図１０に示す異常検出時処理手順ＲＴ１を開始し、ステップＳＰ１へ移る。ステップＳＰ１において硬貨制御部１２は、ステージ６７を上昇させるリトライ動作を行い、ステップＳＰ２へ移る。
【０１１８】
ステップＳＰ２において硬貨制御部１２は、リトライ動作が成功したか否かを判定する。ここで肯定結果が得られると、このことは、リトライ動作に成功したことを表し、このとき硬貨制御部１２はステップＳＰ９へ移り、異常検出時処理手順ＲＴ１を終了し、集積動作を再開する。一方ステップＳＰ２において否定結果が得られると、このことは、リトライ動作に失敗したことを表し、このとき硬貨制御部１２はステップＳＰ３へ移る。
【０１１９】
ステップＳＰ３において硬貨制御部１２は、ステージ６７を下限位置へ移動させる、すなわち、動作前のポジションに戻すことにより、筒収納部回転体５５を回転可能な状態にし、ステップＳＰ４へ移る。ステップＳＰ４において硬貨制御部１２は、ステージ６７のポジション復帰に成功したか否かを判定する。ここで否定結果が得られると、このことは、ステージ６７を下限位置へ復帰できず筒収納部回転体５５を回転させられないため現金自動預払機１の動作を休止させる必要があることを表し、このとき硬貨制御部１２はステップＳＰ８へ移り、エラーで現金自動預払機１の動作を休止させ、ステップＳＰ９へ移り、異常検出時処理手順ＲＴ１を終了する。
【０１２０】
一方ステップＳＰ４において肯定結果が得られると、このことは、ステージ６７を下限位置へ復帰できたため筒収納部回転体５５が回転可能な状態となったことを表し、このとき硬貨制御部１２はステップＳＰ５へ移る。ステップＳＰ５において硬貨制御部１２は、エラーで現金自動預払機１の動作を休止させずに、外部の保守部門にアラームを送信してステップＳＰ６へ移る。ステップＳＰ６において硬貨制御部１２は、筒収納部回転体５５を筒収納部回転体回転方向ｒ１へ回転させ、現在受入位置Ｐｒにある筒収納部５６に対し筒収納部回転体回転方向ｒ１とは逆方向側に位置する筒収納部５６を受入位置Ｐｒへ移動させることにより、受入対象筒収納部を、異常が発生していない他の筒収納部５６に切り替え、ステップＳＰ７へ移る。
【０１２１】
ステップＳＰ７において硬貨制御部１２は、異常が発生した筒収納部５６を以後は受入対象筒収納部として使用しないように縮退設定を行い、ステップＳＰ９へ移り、異常検出時処理を終了し、集積動作を再開する。外部の保守部門の保守員は、現在の入金取引が終了した後に、現金自動預払機１が取引に使用されていないタイミングで、現金自動預払機１を休止させ、復旧作業を行う。
【０１２２】
以上は集積動作時における異常検出時処理について説明したが、繰出動作時において繰出不良が発生した場合、硬貨制御部１２は、リトライ動作として、硬貨立ち時ステージ上昇制御及び硬貨立ち時筒回転制御に代えて、上述した硬貨戻し動作及び硬貨回転動作を行う。
【０１２３】
［７．効果等］
以上の構成において現金自動預払機１は、何れかの筒収納部５６において集積不良又は繰出不良である異常が発生しリトライ動作に成功しなかった場合、筒収納部回転体５５を回転可能な状態にできたときは、現金自動預払機１を休止させずにアラームを外部の保守部門へ送信し、受入対象筒収納部又は繰出対象筒収納部を、異常が発生した筒収納部５６とは別の異常が発生していない筒収納部５６に切り替えるようにした。このため現金自動預払機１は、複数の筒収納部５６のうち一部の筒収納部５６で異常が発生した場合に、現金自動預払機１の運用を止めることなく、異常が発生していない他の筒収納部５６のみを用いて集積動作及び繰出動作を続行することができる。これにより現金自動預払機１は、異常が発生してから保守員が保守を行うまでの間を休止せずに運用を継続でき稼働率を保つことができる。
【０１２４】
また現金自動預払機１は、異常が発生した現在の取引が終了した後に、現金自動預払機１が取引に使用されていないタイミングで休止され復旧作業が行われるようにした。このため現金自動預払機１は、取引に影響が出ないように復旧作業を行わせることができる。
【０１２５】
以上の構成によれば現金自動預払機１は、使用者の操作を受け付ける応対部３と、硬貨を重ねて集積可能な筒状の収納空間としての硬貨集積空間ＳＰＣを複数有する筒収納部５６と、硬貨集積空間ＳＰＣ内を移動可能であり硬貨が集積される載置面としての硬貨集積面６７ｐＳが形成されたステージ６７と、硬貨集積空間ＳＰＣにおける異常を検知する異常検知センサ９０と、異常検知センサ９０の検知結果に基づいて硬貨集積空間ＳＰＣにおいて異常が発生しているか否かを判断する硬貨制御部１２とを設け、硬貨制御部１２は、異常検知センサ９０の検知結果に基づいて、複数の硬貨集積空間ＳＰＣのうち一部の硬貨集積空間ＳＰＣで異常が発生していると判断すると、一部の硬貨集積空間ＳＰＣとは異なる他の硬貨集積空間ＳＰＣのみを用いて硬貨を集積又は繰り出すよう制御するようにした。
【０１２６】
これにより現金自動預払機１は、複数の硬貨集積空間ＳＰＣのうち一部の硬貨集積空間ＳＰＣで異常が発生した場合に、現金自動預払機１の運用を止めることなく、異常が発生していない他の硬貨集積空間ＳＰＣのみを用いて集積動作及び繰出動作を続行することができる。
【０１２７】
［８．他の実施の形態］
なお上述した実施の形態においては、異常が発生した現在の取引が終了した後に、現金自動預払機１が取引に使用されていないタイミングで現金自動預払機１が休止され復旧作業が行われる場合について述べた。本発明はこれに限らず、異常が発生した現在の取引が終了した後に、ユーザに利用されていないタイミングで、上述したリトライ動作を再度行うことにより自動的に復旧処理を試みても良い。
【０１２８】
また、繰出動作時に異常を検出し、ステージ６７のポジション復帰に成功できずに、エラーで現金自動預払機１の動作を休止させる際にも、アラームを外部の保守部門へ送信しても良い。
【０１２９】
さらに上述した実施の形態においては、異常検知センサ９０により筒収納部５６における異常を検出する場合について述べた。本発明はこれに限らず、他の種々の方法により筒収納部５６における異常を検出しても良い。
【０１３０】
さらに上述した実施の形態においては、集積上面検知用センサＳＥ２、ステージボトムポジションセンサＳＥ３、集積回転位置検知用センサＳＥ４、繰出硬貨検知用センサＳＥ５及びステージアップポジションセンサＳＥ６をまとめて異常検知センサ９０とする場合について述べた。本発明はこれに限らず、集積上面検知用センサＳＥ２、ステージボトムポジションセンサＳＥ３、集積回転位置検知用センサＳＥ４、繰出硬貨検知用センサＳＥ５及びステージアップポジションセンサＳＥ６のうちの何れか１つ又は複数のセンサを異常検知センサ９０としても良い。
【０１３１】
また、縮退設定を行った場合、取引において使用する筒収納部５６の個数が減少するため、現金自動預払機１全体において集積又は繰り出し可能な（すなわち取り扱い可能な）硬貨の枚数が減少することとなる。このため現金自動預払機１は、縮退設定を行った場合に縮退設定を行った金種の筒収納部５６に応じて、最大入金枚数や最大出金枚数が減少している取引制限状態であることを使用者に提示しても良い。
【０１３２】
さらに上述した実施の形態においては、入金取引時において集積動作を行い、出金取引時において繰出動作を行う場合について述べた。本発明はこれに限らず、硬貨処理装置１０内部に収納されている硬貨の枚数を計数する精査時や、硬貨処理装置１０内部に収納されている硬貨を回収したり補充したりする時等における集積動作と繰出動作とについても、同様の動作を行っても良い。
【０１３３】
さらに上述した実施の形態においては、集積動作において、リトライ動作を行っても正常に硬貨を集積できない場合、筒収納部回転体５５を筒収納部回転体回転方向ｒ１へ例えば１２０［°］だけ回転させることにより、現在受入位置Ｐｒにある筒収納部５６に対し筒収納部回転体回転方向ｒ１とは逆方向側に位置する筒収納部５６を受入位置Ｐｒへ移動させることにより、受入対象筒収納部を切り替える場合について述べた。本発明はこれに限らず、筒収納部回転体５５を筒収納部回転体回転方向ｒ１へ例えば１２０［°］だけ回転させた際に受入位置Ｐｒに位置することになる筒収納部５６が既に縮退設定されている筒収納部５６であった場合は、さらに１２０［°］（合計で２４０［°］）だけ筒収納部回転体５５を筒収納部回転体回転方向ｒ１へ回転させることにより、現在受入位置Ｐｒにある筒収納部５６に対し筒収納部回転体回転方向ｒ１側に位置する筒収納部５６を受入位置Ｐｒへ移動させることにより、受入対象筒収納部を切り替えても良い。繰出動作においても同様である。
【０１３４】
さらに上述した実施の形態においては、筒収納部５６を円周に沿った方向へ移動させ受入対象筒収納部と繰出対象筒収納部とを切り替える場合について述べた。本発明はこれに限らず、筒収納部５６を直線状や曲線状等、種々の移動経路に沿って移動させ、受入対象筒収納部と繰出対象筒収納部とを切り替えても良い。
【０１３５】
さらに上述した実施の形態においては、１つの筒収納部回転体５５に３つの筒収納部５６を設ける場合について述べた。本発明はこれに限らず、１つの筒収納部回転体５５に２つ又は４つ以上の任意の個数の筒収納部５６を設けても良い。
【０１３６】
さらに上述した実施の形態においては、現金自動預払機１に組み込まれる硬貨処理装置１０に本発明を適用する場合について述べた。本発明はこれに限らず、例えば自動券売機等のように顧客との間で硬貨に関する取引を行う種々の装置や、金融機関の職員や小売店の店員等が現金を管理するために使用する現金管理装置等に本発明を適用しても良い。
【０１３７】
さらに上述した実施の形態においては、操作部としての応対部３と、筒収納部としての筒収納部５６と、ステージとしてのステージ６７と、異常検知センサとしての異常検知センサ９０と、制御部としての硬貨制御部１２とによって、自動取引装置としての現金自動預払機１を構成する場合について述べた。本発明はこれに限らず、その他種々の構成でなる操作部と、筒収納部と、ステージと、異常検知センサと、制御部とによって、自動取引装置を構成しても良い。
【産業上の利用可能性】
【０１３８】
本発明は、例えば顧客との間で硬貨に関する取引処理を行う現金自動預払機等でも利用できる。
【符号の説明】
【０１３９】
１……現金自動預払機、２……筐体、３……応対部、４……カード入出口、５……硬貨入出金口、６……操作表示部、７……テンキー、８……レシート発行口、９……主制御部、１０……硬貨処理装置、１１……硬貨処理装置筐体、１２……硬貨制御部、１３……入出金部、１４……シュート部、１５……上分離部、１５Ａ……集積分離部、１５Ｂ……分離搬送部、１５Ｃ……傾斜円盤、１６……認識搬送部、１７……受渡部、１８……ピンベルト搬送部、１８Ｆ……前ピンベルト搬送部、１８Ｄ……下ピンベルト搬送部、１８Ｂ……後ピンベルト搬送部、１８Ｕ……上ピンベルト搬送部、２１……スタッカ部、２２……出金搬送部、２３……一時保留部、２４……補充回収庫、２５……第１補充リジェクト庫、２６……第２補充リジェクト庫、２７……リジェクト庫、２８……取忘取込庫、２９……下分離部、２９Ａ……集積分離部、２９Ｂ……分離搬送部、２９Ｃ……傾斜円盤、３１……案内部、４０……アッパガイド、４２……ロアガイド、４４……スタッカユニット、４６……サイドガイド、５０……収納部、５１……収納駆動部、５２……収納部モータ、５３、５４……ギア、５５……筒収納部回転体、５６……筒収納部、５５ＡＲ……回転軸、５５ＳＬ……ステージ入れ込みスリット、５７……カバー、５９……集積機構、６０……集積駆動部、６１……集積機構モータ、６２……ステージ駆動ベルト、６３、６４……ギア、６５……ステージ駆動ベルトプーリ、６６……シャフト、６７……ステージ、６７ｐ……積置部、６７ｐＳ……硬貨集積面、６７ｇ……シャフト摺動部、６７ｃ……接続部、６９……繰出機構、７０……繰出駆動部、７１……繰出機構モータ、７２……繰出搬送部、７３……分離ベルト、７４……分離ベルトプーリ、７５……塞ぎ止め部、７６……塞ぎ止めソレノイド、７７……塞ぎ止めピン、８０……繰出機構フレーム、８０Ｕ……繰出機構フレーム天板、８０ＵＳ……繰出機構フレーム天面、８０Ａ……光軸通過孔、９０……異常検知センサ、ＳＰＣ……硬貨集積空間、Ｐｒ……受入位置、Ｐｅ……繰出位置、ＳＥ１……筒回転位置検知用センサ、ＤＴ１……筒回転位置検知用ディテクタ、ＳＥ２……集積上面検知用センサ、Ｌ１……集積上面検知用センサ光軸、ＳＥ３……ステージボトムポジションセンサ、ＳＥ４……集積回転位置検知用センサ、ＤＴ４……集積回転位置検知用ディテクタ、ＳＥ５……繰出硬貨検知用センサ、ＳＥ６……ステージアップポジションセンサ、Ｌ２……ステージアップポジションセンサ光軸、ＤＴ２……ステージアップポジションディテクタ、ＣＮ……硬貨、ＦＭ……異物。
【図１】
2020170305.tif 000003
【図２】
2020170305.tif 000004
【図３】
2020170305.tif 000005
【図４】
2020170305.tif 000006
【図５】
2020170305.tif 000007
【図６】
2020170305.tif 000008
【図７】
2020170305.tif 000009
【図８】
2020170305.tif 000010
【図９】
2020170305.tif 000011
【図１０】
2020170305.tif 000012
【図１１】
2020170305.tif 000013